(57)【要約】      （修正有）【課題】携帯に適したコンパクトな形態にできる買物用バッグを、また、トートバッグのような形態のバッグに変形できる買物用バッグを提供する。【解決手段】バッグ本体２の出し入れ口５を開閉可能に被う巾着部１０を設けた買物用バッグ１である。この買物用バッグは折り畳み可能な柔らかな素材で形成してある。この買物用バッグの内部に収納用ポケット２０を吊下げ状態に設ける。巾着部１０をバッグ本体２の外側に折り返し、収納用ポケット２０をバック本体の外部に反転状に引き出した状態で、小さく折り畳んだ買物用バッグを収納用ポケット２０に収納できるようにする。収納用ポケット２０と巾着部１０を異なる色彩の素材で形成する。また、バッグ本体２の出し入れ口５の開口周縁部の周長さを調節可能とするゴム紐３２と係止具３３を取付ける。この係止具の装着位置より自由端側にゴム紐の巻き付け用ループ３５を形成する。【選択図】図１
0003196905.tif 000002
【実用新案登録請求の範囲】
【請求項１】
略長方形の底面部と、この底面部を囲む四面の側面部をもち、上方を物品の出し入れ口として開口し、この出し入れ口の開口が前記底面部の広さより広く成るように側面部を上方に行くに従い拡げた態様の袋状のバッグ部であり、このバッグ部をレジかご内に開口させた前記出し入れ口を上にしてフィットした状態に装着できる大きさに形成し、このバッグ部に手提げ又は肩掛け用の提げ部を取り付け、前記バッグ部と前記提げ部を折り畳み可能な柔らかな材質で形成したバッグ本体と、このバッグ本体に前記出し入れ口を開閉可能に被う折り畳み可能な柔らかな被い素材から成る巾着部を設け、この巾着部は、一端側が前記出し入れ口の開口周縁部の内側に止着され、他端側を開放縁部とし、この開放縁部に巾着紐通し部を形成し、この巾着紐通し部に巾着部の開放縁部を閉じることができる巾着紐を挿通してあり、この巾着部は該巾着部の開放縁部を開けた状態で前記出し入れ口の開口周縁部を股いて前記バッグ本体の外側に折り返すことができるようにした買物用バッグであり、前記バッグ本体の前記底面部の長辺に対応する一方の側面部の上縁部の略中間位置の内側に上端部が止着された吊下げ延設部と、この吊下げ延設部を介して連設され、上方をポケット開口部として開口した袋状ポケット部とから成る収納用ポケットを吊下げ状態に設け、前記袋状ポケット部は前記底面部の面広さより小さく折り畳んだ前記バック本体と前記巾着部を収納できる収納空間を有し、この収納用ポケットは、前記バッグ本体の内側面と開放縁部を開放してバッグ本体の内側に垂らした状態の前記巾着部との対向間に介在し、且つ前記袋状ポケット部のポケット開口部を前記巾着部側に配したフリーな吊下げ状態に設けてあり、前記巾着部をバッグ本体の外側に折り返し、前記収納用ポケットをバック本体の内部から外部に反転状に引き出した状態で、バッグ本体と該バッグ本体の外側に折り返されて表面側に表われるようにした態様の巾着部を小さく折り畳み、小さく折り畳んだこのバッグ本体と巾着部を前記収納用ポケットの袋状ポケット部内に収納できるようにしたことを特徴とする買物用バッグ。
【請求項２】
請求項１に記載の買物用バッグであって、前記収納用ポケットと前記巾着部を異なる色彩の素材で形成し、前記巾着部をバッグ本体の外側に折り返し、前記収納用ポケットをバック本体の内部から外部に反転状に引き出した状態で、バッグ本体と該バッグ本体の外側に折り返されて表面側に表われるようにした態様の巾着部を小さく折り畳み、小さく折り畳んだこのバッグ本体と巾着部をバッグ本体の外側に折り返されて表面側に表われるようにした態様の巾着部が互いに色彩の異なる収納用ポケットの袋状ポケット部のポケット開口部から一部露出した態様で袋状ポケット部内に収納するようにしたことを特徴とする買物用バッグ。
【請求項３】
請求項１又は２に記載の買物用バッグであって、前記バッグ本体の前記出し入れ口の開口周縁部に紐通し部を形成すると共に、前記底面部の短辺に対応する側面部の中間に位置する前記紐通し部に切欠き口をそれぞれ形成し、前記紐通し部に二本の締め紐を挿通すると共に、二つの前記切欠き口から外に出した当該締め紐の両端部を結んで二本の環状の締め紐とし、二つの切欠き口から外に出したそれぞれの環状の締め紐にバッグ本体の前記出し入れ口の開口の拡がりを止める係止具をスライド移動可能に装着し、この二つの係止具を環状の締め紐に沿ってスライド移動させ適宜の締め位置で係止させることによって、バッグ本体の前記出し入れ口の開口周縁部の周長さを調節可能にしたことを特徴とする買物用バッグ。
【請求項４】
請求項３に記載の買物用バッグであって、前記締め紐が伸縮性を有するゴム紐であり、前記係止具の装着位置より自由端側にゴム紐から成る伸縮性を有する巻き付け用ループを形成したことを特徴とする買物用バッグ。
【請求項５】
請求項１又は２に記載の買物用バッグであって、このバッグ本体の前記出し入れ口の開口周縁部に紐通し部を形成すると共に、前記底面部の短辺に対応する側面部の中間に位置する前記紐通し部に切欠き口をそれぞれ形成し、前記紐通し部に伸縮性を有する二本のゴム紐を挿通すると共に、二つの前記切欠き口から外に出した当該ゴム紐の両端部を結んで二本の環状のゴム紐とし、二つの切欠き口から外に出したそれぞれの環状のゴム紐にバッグ本体の前記出し入れ口の開口の拡がりを止める係止具をスライド移動可能に装着し、この二つの係止具を環状のゴム紐に沿ってスライド移動させ適宜の締め位置で係止させることによって、バッグ本体の前記出し入れ口の開口周縁部の周長さを調節可能にし、且つ、前記係止具の装着位置より自由端側にゴム紐から成る伸縮性を有する巻き付け用ループを形成し、且つ、前記巾着部を二つの前記切欠き口の形成位置で分離した二枚の被い素材で形成し、バッグ本体の外側に折り返した巾着部の各分離部から前記係止具及び巻き付け用ループを外側に導出可能に設けたことを特徴とする買物用バッグ。
【請求項６】
略長方形の底面部と、この底面部を囲む四面の側面部をもち、上方を物品の出し入れ口として開口し、この出し入れ口の開口が前記底面部の広さより広く成るように側面部を上方に行くに従い拡げた態様の袋状のバッグ部であり、このバッグ部をレジかご内に開口させた前記出し入れ口を上にしてフィットした状態に装着できる大きさに形成し、このバッグ部に手提げ又は肩掛け用の提げ部を取り付け、前記バッグ部と前記提げ部を折り畳み可能な柔らかな材質で形成したバッグ本体と、このバッグ本体に前記出し入れ口を開閉可能に被う折り畳み可能な柔らかな被い素材から成る巾着部を設け、この巾着部は、一端側が前記出し入れ口の開口周縁部の内側に止着され、他端側を開放縁部とし、この開放縁部に巾着紐通し部を形成し、この巾着紐通し部に巾着部の開放縁部を閉じることができる巾着紐を挿通してあり、この巾着部は該巾着部の開放縁部を開けた状態で前記出し入れ口の開口周縁部を股いて前記バッグ本体の外側に折り返すことができるようにした買物用バッグであり、前記バッグ本体の前記出し入れ口の開口周縁部に紐通し部を形成すると共に、前記底面部の短辺に対応する側面部の中間に位置する前記紐通し部に切欠き口をそれぞれ形成し、前記紐通し部に伸縮性を有する二本のゴム紐を挿通すると共に、二つの前記切欠き口から外に出した当該ゴム紐の両端部を結んで二本の環状のゴム紐とし、二つの切欠き口から外に出したそれぞれの環状のゴム紐にバッグ本体の前記出し入れ口の開口の拡がりを止める係止具をスライド移動可能に装着し、この二つの係止具を環状のゴム紐に沿ってスライド移動させ適宜の締め位置で係止させることによって、バッグ本体の前記出し入れ口の開口周縁部の周長さを調節可能にし、且つ、前記係止具の装着位置より自由端側にゴム紐から成る伸縮性を有する巻き付け用ループを形成したことを特徴とする買物用バッグ。
【請求項７】
請求項６に記載の買物用バッグであって、前記巾着部を二つの前記切欠き口の形成位置で分離した二枚の被い素材で形成し、バッグ本体の外側に折り返した巾着部の各分離部から前記係止具及び巻き付け用ループを外側に導出可能に設けたことを特徴とする買物用バッグ。
【考案の詳細な説明】
【技術分野】
【０００１】
本考案は、大量の食品などを買物するスーパーマーケット等での買物に用いるのに便利な買物用バッグであり、特に買物用バッグとして使用しない場合には携帯に適したコンパクトな形態に保持できる買物用バッグに関する。
【背景技術】
【０００２】
大量の食品などを買物するスーパーマーケット等での買物に用いるのに便利な買物用バッグとして、上面が開口するバッグ本体と、バッグ本体の開口縁に止着される筒状布（本願では巾着部と言う。）とから成り、バッグ本体に手提げが取付けられ、筒状布（巾着部）の開放縁には紐通し部が形成され、この紐通し部に筒状布（巾着部）の開放縁を締めて閉じる締め紐を挿通した手提げバッグが公知である（特許文献１）。
【０００３】
この公知の手提げバッグ（買物用バッグ）は、スーパーマーケットでの買い物に使用する場合、空の買物かごにバッグ本体をはめ込み、筒状布（巾着部）を買物かごの開口縁の外側へ折り返すようにして、買物かごに装着できるようにしてある。この公知の手提げバッグ（買物用バッグ）は、レジかごに入れた買物商品をスーパーマーケットでのレジ通過時に空のレジかご内に装着してある当該手提げバッグ（買物用バッグ）内にスムーズに詰め替えでき、詰め替えた後に筒状布（巾着部）の開放縁を締め紐で閉じることによって、そのまま持ち帰ることができ、別のポリ袋に詰めかえる手間が省け便利であり、ポリ袋も不要で経費の節約を図れる、実用的な価値が高いものである。
【０００４】
しかし、この公知の手提げバッグ（買物用バッグ）は、買物用バッグとして使用しない場合には、携帯に適したコンパクトな形態に保持できないものであった。
【０００５】
本出願人は、本出願に先だち、買物用バッグとして使用しない場合には、携帯に適したコンパクトな形態に簡単かつ確実に保持できる買物用バックを提案してある（特許文献２）。この買物用バッグは、底面部と、底面部を囲む四面の側面部をもち、上面の開口部を物品の出し入れ口とし、この開口部の内周縁部にこの開口部を開閉可能に被う巾着部を装着し、この巾着部を折り畳み可能な柔らかな材質で形成し、側面部に提げ部を取り付けたバッグであって、側面部及び提げ部を折り畳み可能な柔らか材質で形成し、底面部を二つの底面部分が折り畳み連結部を介して折り重ね態様に折り畳み可能に形成し、二つの底面部分をそれぞれの面形状が維持可能な硬めの底面部分に形成し、二つの底面部分の折り畳み連結部側を除いたそれぞれの三方の周辺部に折り重ね状態で閉じることができる開閉用スライドファスナーを装着したことを特徴したものである。この買物用バッグは、買物バッグとして使用しない場合は、開閉用スライドファスナーを全開して平面形状に開いた底面部の内側面の範囲内に納まるように側面部と巾着部及び提げ部を折り畳み、それぞれの面形状を維持可能な硬めの底面部分にそれぞれ形成された二つの底面部分の間に折り畳まれた側面部と巾着部及び提げ部が納められた状態に折り畳み連結部を介して二つの底面部分を折り重ね、この折り重ね状態で開閉用スライドファスナーを閉じれば、二つの底面部分の外側面を表にして形成された扁平状の小バッグ内に買物バッグの全体をコンパクトな折り畳み形態に納めて保持でき、極めて商品的な価値が高いものである。しかし、二つの硬めの底面部分を折り重ね状態で閉じる開閉用スライドファスナーを必要とし、この点で商品コストがアップしてしまうものであった。
【先行技術文献】
【特許文献】
【０００６】
【特許文献１】特開２００１−８７０２２号公報
【特許文献２】実用新案登録第３１８３９６９号公報
【考案の概要】
【考案が解決しようとする課題】
【０００７】
本考案は、大量の食品などを買物するスーパーマーケット等での買物に用いるのに便利な買物用バッグであり、スーパーマーケット等での買物に使用する場合、レジかごに入れた買物商品をスーパーマーケット等でのレジ通過時に空のレジかご内に装着してある当該買物用バッグ内にスムーズに詰め替えでき、詰め替えた後に巾着部の開放縁を締め紐で閉じることによって、そのまま持ち帰ることができ、別のポリ袋に詰めかえる手間が省ける買物用バッグであり、特に買物用バッグとして使用しない場合には、比較的低コストで簡単に、携帯に適したコンパクトな形態に保持でき、しかも、携帯に適したコンパクトな形態がデザイン的に優れた外観を呈する、買物用バッグを提供することを主な解決課題とする。
【０００８】
また、より簡易な別の手段で、買物用バッグとして使用しない時には、携帯に適したコンパクトな折り畳み形態や巻き形態に更に簡単に保持でき、しかも、買物する商品が少量の場合には、トートバッグのような形態のバッグに容易に変形できる、買物用バッグを提供することも解決課題とする。
【課題を解決するための手段】
【０００９】
かかる課題を解決するため、本考案（請求項１の考案）は、略長方形の底面部と、この底面部を囲む四面の側面部をもち、上方を物品の出し入れ口として開口し、この出し入れ口の開口が前記底面部の広さより広く成るように側面部を上方に行くに従い拡げた態様の袋状のバッグ部であり、このバッグ部をレジかご内に開口させた前記出し入れ口を上にしてフィットした状態に装着できる大きさに形成し、このバッグ部に手提げ又は肩掛け用の提げ部を取り付け、前記バッグ部と前記提げ部を折り畳み可能な柔らかな材質で形成したバッグ本体と、このバッグ本体に前記出し入れ口を開閉可能に被う折り畳み可能な柔らかな被い素材から成る巾着部を設け、この巾着部は、一端側が前記出し入れ口の開口周縁部の内側に止着され、他端側を開放縁部とし、この開放縁部に巾着紐通し部を形成し、この巾着紐通し部に巾着部の開放縁部を閉じることができる巾着紐を挿通してあり、この巾着部は該巾着部の開放縁部を開けた状態で前記出し入れ口の開口周縁部を股いて前記バッグ本体の外側に折り返すことができるようにした買物用バッグであり、前記バッグ本体の前記底面部の長辺に対応する一方の側面部の上縁部の略中間位置の内側に上端部が止着された吊下げ延設部と、この吊下げ延設部を介して連設され、上方をポケット開口部として開口した袋状ポケット部とから成る収納用ポケットを吊下げ状態に設け、前記袋状ポケット部は前記底面部の面広さより小さく折り畳んだ前記バック本体と前記巾着部を収納できる収納空間を有し、この収納用ポケットは、前記バッグ本体の内側面と開放縁部を開放してバッグ本体の内側に垂らした状態の前記巾着部との対向間に介在し、且つ前記袋状ポケット部のポケット開口部を前記巾着部側に配したフリーな吊下げ状態に設けてあり、前記巾着部をバッグ本体の外側に折り返し、前記収納用ポケットをバック本体の内部から外部に反転状に引き出した状態で、バッグ本体と該バッグ本体の外側に折り返されて表面側に表われるようにした態様の巾着部を小さく折り畳み、小さく折り畳んだこのバッグ本体と巾着部を前記収納用ポケットの袋状ポケット部内に収納できるようにした買物用バッグを提供する。
【００１０】
本考案の買物用バッグは、スーパーマーケット等での買物に使用する場合、レジかごに入れた買物商品をスーパーマーケットでのレジ通過時に空のレジかご内に当該買物用バッグの出し入れ口を開口させた装着状態で且つ巾着部をバッグ本体の外側すなわちレジかごの外側に折り返して係止させた装着状態で装着してある当該買物用バッグ内にスムーズに詰め替えでき、詰め替えた後に巾着部の開放縁部を巾着紐で閉じることによって、そのまま持ち帰ることができ、別のポリ袋に詰めかえる手間が省け、便利である。そして、本考案の買物用バッグによれば、買物バッグとして使用しない場合は、巾着部をバッグ本体の外側に折り返し、収納用ポケットをバック本体の内部から外部に反転状に引き出した状態で、バッグ本体と該バッグ本体の外側に折り返されて表面側に表われるようにした態様の巾着部を小さく折り畳み、小さく折り畳んだこのバッグ本体と巾着部を収納用ポケットの袋状ポケット部内にコンパクトに収納できる。よって、買物バッグとして使用しない場合には、携帯に適したコンパクトな袋形態に保持できる。
【００１１】
また、本考案（請求項２の考案）は、前記収納用ポケットと前記巾着部を異なる色彩の素材で形成し、前記巾着部をバッグ本体の外側に折り返し、前記収納用ポケットをバック本体の内部から外部に反転状に引き出した状態で、バッグ本体と該バッグ本体の外側に折り返されて表面側に表われるようにした態様の巾着部を小さく折り畳み、小さく折り畳んだこのバッグ本体と巾着部をバッグ本体の外側に折り返されて表面側に表われるようにした態様の巾着部が互いに色彩の異なる収納用ポケットの袋状ポケット部のポケット開口部から一部露出した態様で袋状ポケット部内に収納するようにした買物用バッグを提供する。
【００１２】
前記したように、買物用バッグとして使用しない場合には、携帯に適したコンパクトな袋形態に保持できる。しかも、バッグ本体の外側に折り返されて表面側に表われるようにした態様の巾着部が互いに色彩の異なる収納用ポケットの袋状ポケット部のポケット開口部から一部露出した態様で袋状ポケット部内に収納するようにすれば、携帯に適したコンパクトな袋形態がデザイン的に優れた外観を呈することになる。この買物用バッグの販売に際して、携帯に適したコンパクトな袋形態で陳列した場合、需要者の購買意欲を刺激することができる。さらに、収納用ポケットからバッグ本体と巾着部を取出す際、取り出す巾着部を色彩で識別できるため、取り出しが容易である。
【００１３】
また、本考案（請求項３の考案）は、前記バッグ本体の前記出し入れ口の開口周縁部に紐通し部を形成すると共に、前記底面部の短辺に対応する側面部の中間に位置する前記紐通し部に切欠き口をそれぞれ形成し、前記紐通し部に二本の締め紐を挿通すると共に、二つの前記切欠き口から外に出した当該締め紐の両端部を結んで二本の環状の締め紐とし、二つの切欠き口から外に出したそれぞれの環状の締め紐にバッグ本体の前記出し入れ口の開口の拡がりを止める係止具をスライド移動可能に装着し、この二つの係止具を環状の締め紐に沿ってスライド移動させ適宜の締め位置で係止させることによって、バッグ本体の前記出し入れ口の開口周縁部の周長さ（前記出し入れ口の開口広さ）を調節可能にした買物用バッグを提供する。
【００１４】
本考案の買物用バッグによれば、例えば買物した商品が少量の場合は、この二つの係止具を環状の締め紐に沿ってスライド移動させ適宜の締め位置で係止させることによって、バッグ本体の前記出し入れ口の開口周縁部の周長さ（前記出し入れ口の開口広さ）を比較的小さめに調節可能であるため、バッグ本体の出し入れ口の開口広さが前記底面部の広さより広く成るように側面部を上方に行くに従い拡げた態様の買物用バッグを該買物用バッグに比べて出し入れ口の開口広さが小さいトートバッグのような形態に変形させて使用できる。
【００１５】
また、本考案（請求項４の考案）は、前記締め紐が伸縮性を有するゴム紐であり、前記係止具の装着位置より自由端側にゴム紐から成る伸縮性を有する巻き付け用ループを形成した買物用バッグを提供する。
【００１６】
本考案の買物用バッグによれば、コンパクトな形態に折り畳んだ買物バッグの周囲を前記巻き付け用ループで伸縮自在に巻き付けることでコンパクトな形態を簡易に保持できる。よって、この考案の買物用バッグは、収納用ポケットの袋状ポケット部内に収納してコンパクトな袋形態にする方法と、ゴム紐から成る伸縮性を有する巻き付け用ループで簡易に巻き付けてコンパクトな形態を簡易に保持する方法のどちらか一方を適宜採用できる。
【００１７】
また、本考案（請求項５の考案）は、前記バッグ本体の前記出し入れ口の開口周縁部に紐通し部を形成すると共に、前記底面部の短辺に対応する側面部の中間に位置する前記紐通し部に切欠き口をそれぞれ形成し、前記紐通し部に伸縮性を有する二本のゴム紐を挿通すると共に、二つの前記切欠き口から外に出した当該ゴム紐の両端部を結んで二本の環状のゴム紐とし、二つの切欠き口から外に出したそれぞれの環状のゴム紐にバッグ本体の前記出し入れ口の開口の拡がりを止める係止具をスライド移動可能に装着し、この二つの係止具を環状のゴム紐に沿ってスライド移動させ適宜の締め位置で係止させることによって、バッグ本体の前記出し入れ口の開口周縁部の周長さ（前記出し入れ口の開口広さ）を調節可能にし、且つ、前記係止具の装着位置より自由端側にゴム紐から成る伸縮性を有する巻き付け用ループを形成し、且つ、前記巾着部を二つの前記切欠き口の形成位置で分離した二枚の被い素材で形成し、バッグ本体の外側に折り返した巾着部の各分離部から前記係止具及び巻き付け用ループを外側に導出可能に設けた買物用バッグを提供する。
【００１８】
本考案によれば、巾着部をバッグ本体の内側に位置させた態様、又はバッグ本体の外側に折り返した態様のどちらの態様であっても、コンパクトな形態に折り畳んだ買物バッグの周囲を前記巻き付け用ループで簡易に保持できる。
【００１９】
また、本考案（請求項６の考案）は、略長方形の底面部と、この底面部を囲む四面の側面部をもち、上方を物品の出し入れ口として開口し、この出し入れ口の開口が前記底面部の広さより広く成るように側面部を上方に行くに従い拡げた態様の袋状のバッグ部であり、このバッグ部をレジかご内に開口させた前記出し入れ口を上にしてフィットした状態に装着できる大きさに形成し、このバッグ部に手提げ又は肩掛け用の提げ部を取り付け、前記バッグ部と前記提げ部を折り畳み可能な柔らかな材質で形成したバッグ本体と、このバッグ本体に前記出し入れ口を開閉可能に被う折り畳み可能な柔らかな被い素材から成る巾着部を設け、この巾着部は、一端側が前記出し入れ口の開口周縁部の内側に止着され、他端側を開放縁部とし、この開放縁部に巾着紐通し部を形成し、この巾着紐通し部に巾着部の開放縁部を閉じることができる巾着紐を挿通してあり、この巾着部は該巾着部の開放縁部を開けた状態で前記出し入れ口の開口周縁部を股いて前記バッグ本体の外側に折り返すことができるようにした買物用バッグであり、前記バッグ本体の前記出し入れ口の開口周縁部に紐通し部を形成すると共に、前記底面部の短辺に対応する側面部の中間に位置する前記紐通し部に切欠き口をそれぞれ形成し、前記紐通し部に伸縮性を有する二本のゴム紐を挿通すると共に、二つの前記切欠き口から外に出した当該ゴム紐の両端部を結んで二本の環状のゴム紐とし、二つの切欠き口から外に出したそれぞれの環状のゴム紐にバッグ本体の前記出し入れ口の開口の拡がりを止める係止具をスライド移動可能に装着し、この二つの係止具を環状のゴム紐に沿ってスライド移動させ適宜の締め位置で係止させることによって、バッグ本体の前記出し入れ口の開口周縁部の周長さ（前記出し入れ口の開口広さ）を調節可能にし、且つ、前記係止具の装着位置より自由端側にゴム紐から成る伸縮性を有する巻き付け用ループを形成した買物用バッグを提供する。
【００２０】
本考案によれば、コンパクトな形態に折り畳んだ買物バッグの周囲を前記巻き付け用ループで伸縮自在に巻き付けることでコンパクトな形態を簡易に保持できる。しかも、買物した商品が少量の場合は、この二つの係止具を環状のゴム紐に沿ってスライド移動させ適宜の締め位置で係止させることによって、バッグ本体の出し入れ口の開口周縁部の周長さ（前記出し入れ口の開口広さ）を比較的小さめに調節可能であるため、バッグ本体の出し入れ口の開口広さが前記底面部の広さより広く成るように側面部を上方に行くに従い拡げた態様の買物用バッグを該買物用バッグに比べて出し入れ口の開口広さが小さいトートバッグのような形態に変形させて使用できる。
【００２１】
また、本考案（請求項７の考案）は、前記巾着部を二つの前記切欠き口の形成位置で分離した二枚の被い素材で形成し、バッグ本体の外側に折り返した巾着部の各分離部から前記係止具及び巻き付け用ループを外側に導出可能に設けた買物用バッグを提供する。
【００２２】
本考案によれば、巾着部をバッグ本体の内側に位置させた態様、又はバッグ本体の外側に折り返した態様のどちらの態様であっても、コンパクトな形態に折り畳んだ買物バッグの周囲を前記巻き付け用ループで簡易に保持できる。
【考案の効果】
【００２３】
本考案の買物用バッグは、スーパーマーケット等での買物に使用する場合、レジかごに入れた買物商品をスーパーマーケット等でのレジ通過時に空のレジかご内に装着してある当該買物用バッグ内にスムーズに詰め替えでき、詰め替えた後に巾着部の開放縁を締め紐で閉じることによって、そのまま持ち帰ることができ、別のポリ袋に詰めかえる手間が省けるため、大量の食品などを買物するスーパーマーケット等での買物に用いるのに便利である。そして、特に本考案の買物用バッグによれば、買物用バッグとして使用しない場合には、巾着部をバッグ本体の外側に折り返し、収納用ポケットをバック本体の内部から外部に反転状に引き出した状態で、バッグ本体と該バッグ本体の外側に折り返されて表面側に表われるようにした態様の巾着部を小さく折り畳み、小さく折り畳んだこのバッグ本体と巾着部を収納用ポケットの袋状ポケット部内にコンパクトに収納でき、比較的低コストで簡単に、携帯に適したコンパクトな袋形態に保持できる。しかも、収納用ポケットと巾着部を異なる色彩の素材で形成することで、携帯に適したコンパクトな袋形態がデザイン的に優れた外観を呈するようにすることができる。
【００２４】
また、本考案の買物用バッグによれば、より簡易な別の手段で、買物用バッグとして使用しない場合には、コンパクトな形態に折り畳んだ買物バッグの周囲を巻き付け用ループで伸縮自在に巻き付けることでコンパクトな形態を簡易に保持でき、しかも、買物する商品が少量の場合には、出し入れ口の開口広さを広く形成した買物用バッグを該買物用バッグに比べて出し入れ口の開口広さが小さいトートバッグのような形態のバッグに容易に変形させて使用できる。
【図面の簡単な説明】
【００２５】
【図１】本考案の買物用バッグの斜視図である。
【図２】本考案の買物用バッグをコンパクトな袋形態にする説明図である。
【図３】本考案の買物用バッグをトートバッグのように変形させた斜視図である。
【図４】本考案の買物用バッグをコンパクトな形態にする他の簡易手段を示した説明図である。
【考案を実施するための形態】
【００２６】
本考案に係わる買物用バッグの実施形態を図面に基づき説明する。図１に示したように、本考案の買物用バッグ１は、バッグ本体２と、巾着部１０と、収納用ポケット２０を主な構成要素としている。
【００２７】
バッグ本体２は、略長方形の底面部３と、この底面部３を囲む四面の側面部４をもち、上方を物品の出し入れ口５として開口し、この出し入れ口５の開口が前記底面部３の広さより広く成るように側面部４を上方に行くに従い拡げた態様の袋状のバッグ部６であり、このバッグ部６をレジかごＫ（図１に一点鎖線で概略構成を示した。）内に開口させた前記出し入れ口５を上にしてフィットした状態に装着できる大きさに形成し、このバッグ部６の前記底面部３の長辺に対応する両方の側面部４の外側面に手提げ又は肩掛け用の提げ部７をそれぞれ取り付け、前記バッグ部６と前記提げ部７を折り畳み可能なポリエステル繊維などの柔らかな材質で形成してある。前記バッグ部６の内側面は保冷シート材で形成するのが好ましい。前記レジかごＫは、スーパーマーケット等に置かれたものを指し、底部を略長方形の矩形とし、上部を矩形枠で開口したものを概略的に示し、煩雑さを避けるため側部の格子部を省略して示している。
【００２８】
前記巾着部１０は、バッグ本体２の出し入れ口５を開閉可能に被う折り畳み可能なポリエステル繊維などの柔らかな被い素材から成り、一端側が前記出し入れ口５の開口周縁部の内側に止着（縫着）され、他端側を開放縁部とし、この開放縁部に巾着紐通し部１１を形成し、この巾着紐通し部１１に巾着部の開放縁部を閉じることができる巾着紐１２を挿通してある。この巾着部１０は該巾着部の開放縁部を開けた状態で前記出し入れ口５の開口周縁部を股いて前記バッグ本体２の外側に折り返すことができるように成っている。
【００２９】
前記収納用ポケット２０は、前記バッグ本体２の前記底面部３の長辺に対応する一方の側面部４の上縁部の略中間位置の内側に上端部が止着（縫着）された吊下げ延設部２１と、この吊下げ延設部を介して連設され、上方をポケット開口部２３として開口した袋状ポケット部２２とから成る。この収納用ポケット２０は、図１に示したように、前記バッグ本体２の内側面と開放縁部を開放してバッグ本体２の内側に垂らした状態の前記巾着部１０との対向間に介在し、且つ前記袋状ポケット部２２のポケット開口部２３を前記巾着部１０側に配したフリーな吊下げ状態に設けたことを特徴としている。前記袋状ポケット部２２は前記底面部３の面広さより小さく折り畳んだ前記バック本体２と前記巾着部１０を収納できる収納空間を有している。この収納用ポケット２０はポリエステル繊維などの柔らかな材質で形成してある。
【００３０】
本考案の買物用バッグは、スーパーマーケット等での買物に使用する場合、レジかごに入れた買物商品をスーパーマーケットでのレジ通過時に空のレジかごＫ内に当該買物用バッグ１の出し入れ口５を開口させた装着状態で且つ巾着部１０をバッグ本体２の外側すなわちレジかごＫの外側に折り返して係止させた装着状態で装着してある当該買物用バッグ内にスムーズに詰め替えでき、詰め替えた後に巾着部１０の開放縁部を巾着紐１２で閉じることによって、そのまま持ち帰ることができ、別のポリ袋に詰めかえる手間が省け、便利である。そして、本考案の買物用バッグによれば、買物用バッグとして使用しない場合には、図２の（Ａ）に示したように、巾着部１０をバッグ本体２の外側に折り返し、収納用ポケット２０をバック本体２の内部から外部に反転状に引き出した状態で、バッグ本体２と該バッグ本体２の外側に折り返されて表面側に表われるようにした態様の巾着部１０を袋状ポケット部２２内に収納可能なように小さく折り畳み、図２の（Ｂ）に示したように、小さく折り畳んだこのバッグ本体２と巾着部１０を収納用ポケット２０の袋状ポケット部２２内にコンパクトに収納できる。図２の（Ｃ）は図２の（Ｂ）の背面を示している。よって、買物用バッグとして使用しない場合には、携帯に適したコンパクトな袋形態に保持できる。なお、この収納用ポケット２０は、バッグとして使用する場合、小物入れとしても使用できる。
【００３１】
図１の買物用バッグは、前記収納用ポケット２０と前記巾着部１０を異なる色彩の素材で形成してある。一例として、この実施例では、収納用ポケット２０を赤色、巾着部１０を黒色の素材で形成してある。図２は、色彩の違いが分かり易いよう便宜的に巾着部１０を斜線で示した。図２の（Ｂ）は、バッグ本体２の外側に折り返されて表面側に表われるようにした態様の黒色の巾着部１０が互いに色彩の異なる赤色の収納用ポケット２０の袋状ポケット部２２のポケット開口部２３から一部露出した態様で袋状ポケット部２２内に収納された形態を示している。
【００３２】
図２の（Ｂ）に示したように、バッグ本体２の外側に折り返されて表面側に表われるようにした態様の黒色の巾着部１０が互いに色彩の異なる赤色の収納用ポケット２０の袋状ポケット部２２のポケット開口部２３から一部露出した態様で袋状ポケット部２２内に収納するようにすれば、携帯に適したコンパクトな袋形態が異なる色彩で区分けされデザイン的に優れた外観を呈することになる。この結果、この買物用バッグ１の販売に際して、携帯に適したコンパクトな袋形態で陳列した場合、需要者の購買意欲を刺激することができる。さらに、収納用ポケット２０からバッグ本体２と巾着部１０を取出す際、取り出す巾着部１０を色彩で識別できるため、取り出しが容易である。
【００３３】
また、図１、図２の（Ａ）（Ｂ）に示したように、袋状ポケット部２２の表面側にキャラクター図形等を表示した布小片２４を縫い付けて付設しておけば、更にデザイン的に優れた外観を呈することになる。この布小片２４を巾着部１０と同色の黒色とし、キャラクター図形等を白抜きで表示すれば、更にデザイン的に優れた外観を呈することになる。
【００３４】
さらに、本考案の買物用バッグ１は、図１及び図３に示したように、このバッグ本体２の前記出し入れ口５の開口周縁部に紐通し部３０を形成すると共に、前記底面部３の短辺に対応する側面部４の中間に位置する前記紐通し部３０に切欠き口３１をそれぞれ形成し、前記紐通し部３０に二本の締め紐３２（この実施例では締め紐が伸縮性を有するゴム紐としてある。よって、以下、締め紐をゴム紐と称する。）を挿通すると共に、二つの前記切欠き口３１から外に出した当該ゴム紐３２の両端部を結んで二本の環状のゴム紐３２とし、二つの切欠き口３１から外に出したそれぞれの環状のゴム紐３２にバッグ本体２の前記出し入れ口５の開口の拡がりを止める係止具３３をスライド移動可能に装着し、この二つの係止具３３を環状のゴム紐３２に沿ってスライド移動させ適宜の締め位置で係止させることによって、図３に示したように、バッグ本体２の前記出し入れ口５の開口周縁部の周長さ（前記出し入れ口５の開口広さ）を調節可能にしてある。前記係止具３３は公知の係止具を採用できる。この実施例では、切欠き口３１の開口より大きな玉状の塊体に紐通路が貫通形成され、常態では塊体内に設けたバネで紐通路が縮小し、紐通路に挿通されている紐の移動を止め、前記塊体に設けてある押圧ボタンを前記バネのバネ圧に抗して押せば紐通路が拡大し、紐通路に挿通されている紐の移動が自由になる様にした、公知の係止具を採用した。
【００３５】
例えば買物した商品が少量の場合は、図３に示したように、この二つの係止具３３を環状の締め紐３２に沿ってスライド移動させ適宜の締め位置で係止させることによって、バッグ本体２の前記出し入れ口５の開口周縁部の周長さ（前記出し入れ口５の開口広さ）を比較的小さめに調節可能であるため、バッグ本体２の出し入れ口５の開口広さが前記底面部３の広さより広く成るように側面部４を上方に行くに従い拡げた態様の買物用バッグ（図１を参照）を該買物用バッグに比べて出し入れ口の開口広さが小さいトートバッグのような形態（図３を参照）に変形させて使用できる。
【００３６】
さらに、本考案の買物用バッグ１は、図１及び図４に示したように、前記係止具３３の装着位置より自由端側にゴム紐３２から成る伸縮性を有する巻き付け用ループ３５を形成してある。
【００３７】
図４の（Ａ）（Ｂ）（Ｃ）に示したように、コンパクトな形態に折り畳んだ買物用バッグの周囲を前記巻き付け用ループ３５で伸縮自在に巻き付けることでコンパクトな形態を簡易に保持できる。よって、この考案の買物用バッグ１は、収納用ポケット２０の袋状ポケット部２２内に収納してコンパクトな袋形態にする図２の（Ｂ）の方法と、ゴム紐３２から成る伸縮性を有する巻き付け用ループ３５で簡易に巻き付けてコンパクトな形態を簡易に保持する図４の（Ｃ）の方法のどちらか一方を適宜採用できる。
【００３８】
さらに、本考案の買物用バッグ１は、図１、図２及び図４に示したように、前記巾着部１０を二つの前記切欠き口３１の形成位置で分離した二枚の被い素材で形成し、バッグ本体２の外側に折り返した巾着部１０の各分離部１０ａから前記係止具３３及び巻き付け用ループ３５を外側に導出可能に設けてある。よって、本考案の買物用バッグ１は、図４の（Ａ）に示した巾着部１０をバッグ本体２の内側に位置させた態様、又は特に図示してないが巾着部１０をバッグ本体２の外側に折り返した態様のどちらの態様であっても、コンパクトな形態に折り畳んだ買物用バッグの周囲を前記巻き付け用ループ３５で簡易に保持できる。
【符号の説明】
【００３９】
１  買物用バッグ
２  バッグ本体
３  底面部
４  側面部
５  出し入れ口
６  バッグ部
７  提げ部
Ｋ  レジかご
１０  巾着部
１０ａ  巾着部の分離部
１１  巾着紐通し部
１２  巾着紐
２０  収納用ポケット
２１  吊下げ延設部
２２  袋状ポケット部
２３  ポケット開口部
２４  布小片
３０  紐通し部
３１  切欠き口
３２  締め紐（ゴム紐）
３３  係止具
３５  巻き付け用ループ
【図１】
0003196905.tif 000003
【図２】
0003196905.tif 000004
【図３】
0003196905.tif 000005
【図４】
0003196905.tif 000006